(57)【要約】      （修正有）【課題】電源電池，撮像素子，電子部品等からの発熱を効率よく外部へ放出させ得る構造を備えた撮像装置を提供する。【解決手段】撮像素子を含む筐体を有した撮像装置２において、撮影光束を囲み撮影光束方向に長さを有した筐体１０，１６，１７，１８，１９，２０，２２，２３，２４，２５と、筐体中の撮影光束の終端で撮影光束を受けて撮像を行なう撮像素子と、撮像素子の撮像面外において撮影光束の光軸と平行に配置された平面状の電気基板２１と、電気基板に実装され電子回路の作動に伴って発熱する電子素子２１ａと、電子素子上に載置された熱伝達用シートと、熱伝達用シートを電子素子と共に電気基板との間で挟むように熱伝達用シート上に載置されたヒートシンク２５とを具備した。【選択図】図３
2017044795.tif 000002
【特許請求の範囲】
【請求項１】
撮像素子を含む筐体を有した撮像装置において、
撮影光束を囲み、撮影光束方向に長さを有した筐体と、
上記筐体中の上記撮影光束の終端で上記撮影光束を受けて撮像を行なう撮像素子と、
上記撮像素子の撮像面外において、上記撮影光束の光軸と平行に配置された平面状の電気基板と、
上記電気基板に実装され、電子回路の作動に伴って発熱する電子素子と、
上記電子素子上に載置された熱伝達用シートと、
上記熱伝達用シートを上記電子素子と共に上記電気基板との間で挟むように、上記熱伝達用シート上に載置されたヒートシンクと、
を具備したことを特徴とする撮像装置。
【請求項２】
上記ヒートシンクは、上記光軸に対して垂直方向に延出する複数の板状部が、上記光軸方向に並べられた形状を有することを特徴とする請求項１記載の撮像装置。
【請求項３】
上記撮像装置は、円筒状に形成される円筒外装に覆われ、
上記円筒外装の内部に固定される上記筐体内の中心領域には、上記撮影光束が通過するための略直方体の第１空間部が設けられ、
上記筐体の外面と上記円筒外装の内面との間には、断面が三日月形状に形成される第２空間部が設けられ、
上記第２空間部内に上記ヒートシンクが配置されていることを特徴とする請求項１又は請求項２に記載の撮像装置。
【請求項４】
上記円筒外装の外周面には、外部より上記円筒外装内部の上記ヒートシンク近傍へと気体を取り入れ、当該ヒートシンクによって温められた気体を外部へ排出するための通気孔が設けられていることを特徴とした請求項１〜請求項３のうちのいずれか一つに記載の撮像装置。
【請求項５】
上記筐体の外周を覆う外観部材を有し、
上記外観部材と上記ヒートシンクとの間には、熱伝導部材が配設されていることを特徴とする請求項１〜請求項４のうちのいずれか一つに記載の撮像装置。
【請求項６】
上記筐体は、一端面に上記撮影光束を入射させるための前面開口を有し、
上記開口の周囲には、交換用レンズ鏡筒を着脱するためのバヨネットマウントを具備していることを特徴とする請求項１〜請求項５のうちのいずれか一つに記載の撮像装置。
【請求項７】
上記熱伝達用シートは、上記電気基板に実装される上記電子素子の外面を覆うように載置され、
上記熱伝達用シートと上記ヒートシンクとの間には、さらに金属製の板状フレーム部材が介在していることを特徴とする請求項１〜請求項６のうちのいずれか一つに記載の撮像装置。
【請求項８】
上記通気孔は、上記円筒外装内部の上記ヒートシンク近傍に形成されていることを特徴とする請求項４に記載の撮像装置。
【請求項９】
上記円筒外装の内面に、さらに、第２の熱伝達用シートを設けたことを特徴とする請求項１〜請求項８のうちのいずれか一つに記載の撮像装置。
【請求項１０】
上記熱伝達用シートは、銅箔又はグラファイトシートであることを特徴とする請求項９に記載の撮像装置。
【請求項１１】
上記熱伝達用シートは、上記円筒外装の内面と上記ヒートシンクの外面との間に配設されていることを特徴とする請求項９に記載の撮像装置。
【請求項１２】
上記熱伝達用シートは、上記ヒートシンクの外面に接着されて、熱を拡散することを特徴とする請求項１１に記載の撮像装置。
【発明の詳細な説明】
【技術分野】
【０００１】
この発明は、電源電池及び撮像素子を内蔵し、撮像機能を備えた撮像装置に関するものである。
【背景技術】
【０００２】
近年、例えばスマートフォンやタブレット型コンピュータ等の携帯型電子機器が広く普及している。これに合わせて、この種の携帯型電子機器と組み合わせて用いる機器類に関する提案が、従来より種々なされており、またさまざまな機器類が実用化されている。
【０００３】
上記従来の携帯型電子機器と組み合わせて使用する機器の一例として、例えば一般的なカメラ等に適用される高性能な撮像素子及び電源電池を内蔵して撮像機能を備え、かつ交換用レンズ鏡筒を着脱可能に構成された形態の撮像装置等がある。
【０００４】
この種の撮像装置は、撮像素子を有していることから、それ自身が撮像機能を備えている。したがって、撮像装置単体で動作し得るほかに、上記携帯型電子機器等との間で通信を行うことによって、当該携帯型電子機器等を用いた遠隔操作による撮像動作を実現したり、上記携帯型電子機器等の表示装置を利用してライブビュー画像や撮影済み画像の表示等を行ない得ることに加え、上記携帯型電子機器側から上記撮像装置の各種設定のためのメニュー表示等を行なうことができるように構成したものがある。
【０００５】
従来のこの種の撮像装置においては、被写体像を光電変換して画像データを生成する撮像素子を含む撮像ユニットのほか、内部構成ユニットに対して電力を供給する電源電池（充電式バッテリ等）を含む電力供給ユニット等を本体内部に具備して構成される形態のものが一般である。
【０００６】
例えば、特許第５５４１４３１号公報によって開示されている撮像装置は、本体内部の略中央部分に撮像素子を含む撮像ユニットを備えて構成され、かつ本体の背面寄りの内部空間に電池収納室を形成し、この電池収納室に対応する形状の電源電池（充電式バッテリ）を着脱自在に配設するように構成している。この場合において、上記公報に記載の撮像装置では、撮像素子を実装した電気基板が光軸に直交する面に平行に配置され、かつ当該電気基板と平行となるように画像処理エンジン（撮像素子からの出力信号や映像信号等を扱う半導体）等を実装したメイン基板や扁平形状の電源電池等が配置される構成となっている。
【先行技術文献】
【特許文献】
【０００７】
【特許文献１】特許第５５４１４３１号公報
【発明の概要】
【発明が解決しようとする課題】
【０００８】
上述したような形態の従来の撮像装置においては、装置自体を小型化したいという要望が常にある。このことから、装置内部において配設される各種構成ユニット同士は極めて密に配設される傾向がある。この場合、動作時において発熱量の大きい構成ユニット、例えば電源電池（充電式バッテリ等）を含む電力供給ユニットや、撮像素子を含む撮像ユニットのほか、画像処理エンジンや制御回路等を構成するＩＣ（Integrated Circuit；集積回路）等の電子部品等を実装するメイン基板等からの発熱を効率よく外部へ放出（放熱）させるための様々な工夫が必要となる。
【０００９】
ところが、上記特許第５５４１４３１号公報等によって開示されている撮像装置においては、内部構成ユニットからの発熱を放出する工夫についてはなんら考慮されていない。例えば、上記公報に記載の撮像装置の構成では、撮像素子を含む撮像ユニットとメイン基板とを平行に配置している。この場合、互いに熱の影響を受けることから、熱ノイズにより発生した暗電流に起因するノイズ等が、撮像結果としての画像データに混入し、画質を劣化させる可能性がある。
【００１０】
また、扁平形状の電源電池をメイン基板と平行に配置した場合には、電源電池自身の発熱に加えてメイン基板の発熱が伝達されることによって、電源電池がさらに高温になってしまい、その使用制限温度を超越してしまう可能性がある。このような状況になると、撮像装置自体が使用不可能な状態になってしまうという問題点がある。
【００１１】
本発明は、上述した点に鑑みてなされたものであって、その目的とするところは、交換用レンズ鏡筒が着脱可能に構成され、電源電池及び撮像素子を内蔵し、撮像機能を備えた撮像装置において、電源電池や撮像素子及び電気基板上に実装される各種電子部品等からの発熱を効率よく外部へ放出させ得る構造を備えた撮像装置を提供することである。
【課題を解決するための手段】
【００１２】
上記目的を達成するために、本発明の一態様の撮像装置は、撮像素子を含む筐体を有した撮像装置において、撮影光束を囲み、撮影光束方向に長さを有した筐体と、上記筐体中の上記撮影光束の終端で上記撮影光束を受けて撮像を行なう撮像素子と、上記撮像素子の撮像面外において、上記撮影光束の光軸と平行に配置された平面状の電気基板と、上記電気基板に実装され、電子回路の作動に伴って発熱する電子素子と、上記電子素子上に載置された熱伝達用シートと、上記熱伝達用シートを上記電子素子と共に上記電気基板との間で挟むように、上記熱伝達用シート上に載置されたヒートシンクと、を具備した。
【発明の効果】
【００１３】
本発明によれば、交換用レンズ鏡筒が着脱可能に構成され、電源電池及び撮像素子を内蔵し、撮像機能を備えた撮像装置において、電源電池や撮像素子及び電気基板上に実装される各種電子部品等からの発熱を効率よく外部へ放出させ得る構造を備えた撮像装置を提供することができる。
【図面の簡単な説明】
【００１４】
【図１】本発明の第１の実施形態の撮像装置を含む撮像システム全体を示す外観斜視図
【図２】図１の撮像システムの各構成要素を切り離した状態を示す分解斜視図
【図３】本発明の第１の実施形態の撮像装置の分解斜視図
【図４】図２の符号［４］で示す平面（Ｘ−Ｙ平面）で切断し正面側（被写体側）から見た際の縦断面図
【図５】図２の符号［５］で示す平面（Ｘ−Ｚ平面）で切断し上面側から見た際の横断面図
【図６】本発明の第２の実施形態の撮像装置を示す外観斜視図
【図７】図６の撮像装置において、筒状ハウジングを取り外した状態を示す分解斜視図
【図８】図７の符号［８］で示す平面（Ｘ−Ｙ平面）で切断し正面側（被写体側）から見た際の縦断面図
【図９】図７の符号［９］で示す平面（Ｘ−Ｚ平面）で切断し上面側から見た際の横断面図
【図１０】本発明の第３の実施形態の撮像装置において、筒状ハウジングを取り外した状態を示す斜視図
【図１１】図１０の符号［１１］で示す平面（Ｘ−Ｚ平面）で切断し上面側から見た際の横断面図
【図１２】図１０の符号［１２］で示す平面（Ｘ−Ｙ平面）で切断し正面側（被写体側）から見た際の縦断面図
【発明を実施するための形態】
【００１５】
以下、図示の実施の形態によって本発明を説明する。以下の説明に用いる各図面は模式的に示すものであり、各構成要素を図面上で認識可能な程度に示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し、図示の形態のみに限定されるものではない。
【００１６】
なお、以下の説明において、交換用レンズ鏡筒の撮像光学系の光軸に沿う方向をＺ軸というものとする。このＺ軸に直交する方向であって撮像装置の上下方向をＹ軸というものとする。同様に、当該撮像装置の左右方向をＸ軸というものとする（図１〜図３参照）。
【００１７】
この場合において、撮像装置の上下方向とは、当該撮像装置の内部に配設される撮像素子の撮像面（受光面）の短辺に沿う方向をいうものとし、この場合において、撮像装置のレリーズ操作部材の配置されている側を上方向というものとする。また、撮像装置の左右方向とは、当該撮像装置の内部に配設される撮像素子の撮像面（受光面）の長辺に沿う方向をいうものとし、この場合において、撮像装置の正面側（被写体側）から見た場合の左方を左方向、右方を右方向というものとする。
【００１８】
［第１の実施形態］
図１，図２は、本発明の第１の実施形態の撮像装置を含む撮像システム全体を示す図である。このうち、図１は当該撮像システムの各構成要素を連結させた状態の外観斜視図である。図２は当該撮像システムの各構成要素を切り離した状態を示す分解斜視図である。なお、図１，図２は、本発明の第１の実施形態の撮像装置を含む撮像システムの一形態を示すものである。
【００１９】
図３は、本発明の第１の実施形態の撮像装置の分解斜視図である。図４，図５は、本実施形態の撮像装置の断面図である。このうち、図４は、図２の符号［４］で示す平面（Ｘ−Ｙ平面）で切断し正面側（被写体側）から見た際の縦断面図である。図５は、図２の符号［５］で示す平面（Ｘ−Ｚ平面）で切断し上面側から見た際の横断面図である。
【００２０】
［撮像システム全体の概略構成］
まず、本発明の第１の実施形態の撮像装置を含む撮像システムの全体構成の概略を、主に図１，図２を用いて以下に説明する。
【００２１】
図１，図２に示すように、撮像システム１は、本実施形態の撮像装置２と、交換用レンズ鏡筒３と、機器取付用アダプタ４等によって主に構成されている。
【００２２】
本実施形態の撮像装置２は、従来のデジタルカメラ等の撮像装置と略同等機能を具備するように構成される電子機器である。そのために、撮像装置２は、撮像素子１１（図２参照）やこれを駆動する駆動回路等を実装した撮像基板１２（図３参照）等を含む撮像ユニット１３（図３参照）や、制御回路等を構成する複数の電子部品等を実装するメイン基板２１（図３参照），通信用接点端子１４と接続される電気基板等をはじめとした複数の電気基板（不図示）や、電源電池３１（充電式バッテリ等；図３参照）を含む電力供給ユニット（以下、単に電源電池３１と略記する）等を内部に有して構成されている。これら撮像装置２の内部構成物についての詳細は後述する。
【００２３】
撮像装置２の前面には、交換用レンズ鏡筒３を装着するためのマウント部材となるマウントリング１５（図２参照）が設けられている。上記マウントリング１５のマウント面には、外部に向けて突没自在に設けられるロックピン１５ａ（図２参照）が配設されている。このロックピン１５ａは、当該撮像装置２の前面に交換用レンズ鏡筒３が装着されたとき、その回動を規制して装着状態を維持するために設けられるロック機構の一部を構成する部材である。なお、マウント部材としての形態としては、一般的なレンズ交換式撮像装置に適用される通常形態のもの、例えばいわゆるバヨネット式のマウント部材等が適用される。
【００２４】
一方、撮像装置２の背面側には、上記機器取付用アダプタ４を取り付けるための背面ハウジング１６が配設されている。上記撮像装置２のさらに詳しい構成は後述する（図３〜図５参照）。
【００２５】
他方、撮像装置２の外面には、複数の操作部材が配設されている。例えば、撮像装置２の上面近傍には、レリーズ操作部材２２ａと、電源操作部材２２ｂ等が配設されている。また、これ以外の操作部材としては、例えば交換用レンズ鏡筒３や機器取付用アダプタ４をそれぞれ取り外すための各対応するレンズ／アダプタロック解除レバー等がある（いずれも不図示）。
【００２６】
交換用レンズ鏡筒３は、複数の光学レンズによって構成される撮像光学系３ａと、この撮像光学系３ａの複数の構成レンズをそれぞれ保持する複数のレンズ保持部材（不図示）と、これら複数のレンズ保持部材を光軸Ｏに沿う方向に移動させるための駆動機構（不図示）等によって構成されている。
【００２７】
また、交換用レンズ鏡筒３の背面には、上記撮像装置２のマウントリング１５に連結されるレンズマウント３ｂ（図２参照）を具備している。したがって、これにより交換用レンズ鏡筒３は、上記撮像装置２の前面に対し着脱自在に構成されている。
【００２８】
そして、交換用レンズ鏡筒３の周面上には、例えば焦点調節操作を行なうピントリング３ｃや変倍操作を行なうズームリング３ｄ等の操作部材が光軸Ｏ周りに回転自在に配設されている。
【００２９】
上記交換用レンズ鏡筒３は、従来のレンズ交換式撮像装置（カメラ）に対応させて種々普及している既存の交換用レンズ鏡筒が適用される。したがって、交換用レンズ鏡筒３、それ自体の構成は、従来の交換用レンズ鏡筒と同様の構成を備えているものとして、その詳細構成の説明及び内部機構の図示は省略する。なお。図１，図２に示す交換用レンズ鏡筒３は、従来の交換用レンズ鏡筒の一形態を単に例示するものである。
【００３０】
機器取付用アダプタ４は、上記撮像装置２と、携帯型電子機器等の外部機器（不図示）との間に介在し、両者を一体に連結するための機器接続用構成ユニットである。機器取付用アダプタ４を用いて上記撮像装置２と連結される外部機器（不図示）としては、例えば通信機能や制御機能を備えた電子機器であって、さらに画像表示機能を実現し得る画像表示装置を有して構成され、一般に普及している携帯型電子機器が適用される。当該外部機器と上記撮像装置２との通信は、外部機器に導入（インストール）したアプリケーションの機能によって実現される。
【００３１】
上記外部機器の一例としては、例えば使用者（ユーザ）が片手で取り扱い得る程度の筐体サイズを有し、全体として略板形状に形成される携帯型電子機器等である。この種の携帯型電子機器は、例えば４〜５．５インチ型程度の表示用パネル等を含み画像情報表示機能を有する画像表示ユニット（画像表示部）や、各種形態の通信機能（無線通信；無線LAN，Wi-Fi（Wireless Fidelity；ワイファイ），Ｂluetooth（ブルートゥース），NFC（Near Field Communication）等。有線通信；USBケーブル経由の通信等）を実現する通信ユニット（通信部）等を内部に有すると共に、画像信号や通信信号等の信号処理を行う信号処理回路や各構成ユニットの制御を行う制御回路（制御部）等を具備している。
【００３２】
このような形態の携帯型電子機器（不図示）と、本実施形態の撮像装置２との間を、無線通信を用いて連携させることによって、上記携帯型電子機器は、本実施形態の撮像装置２を制御するための制御機器として機能させたり、当該撮像装置２によって取得した画像データを上記携帯型電子機器に転送させこれを受信し、その受信した画像データに基く画像を表示パネルに表示させる画像再生表示機能のほか、撮像動作時には上記撮像装置２の撮像素子１１によって取得される画像データを順次受信して、その受信した画像データを順次連続的に表示させるライブビュー表示等を行う画像表示装置として機能させ得る。
【００３３】
ここで、この種の携帯型電子機器としては、具体的には、いわゆるスマートフォン等と呼ばれる高機能型携帯電話機等を適用することを想定しているが、これに限らず、同等機能を備える電子機器であれば他の形態のものでも適用可能である。つまり、使用者（ユーザ）は、当該撮像システムを構築するのに際して、既存の携帯型電子機器、即ち既に入手済みで使用中の各種形態の携帯型電子機器を択一的に使用することができるものである。つまり、本撮像システムに適用し得る携帯型電子機器は各種の形態のものが考えられる。なお、上記携帯型電子機器については、本発明に直接関連しない部分でもあるので、その図示及び詳細構成の説明については省略する。
【００３４】
以上のように構成される上記撮像システム１は、撮像装置２に交換用レンズ鏡筒３を装着した状態の撮像用主要ユニットと、既存の携帯型電子機器（不図示）とを、上記機器取付用アダプタ４を介在させて一体に連結した形態の構成ユニットを想定する。
【００３５】
そして、この撮像システム１は、携帯型電子機器（不図示）と撮像装置２との間で無線通信を行うことによって、携帯型電子機器の制御回路による上記撮像用主要ユニットの制御を行って、撮像動作をはじめとした各種の動作を遠隔的に実行させることができるように構成されている。
【００３６】
具体的には例えば、携帯型電子機器から各種の制御信号を送信して上記撮像装置２を制御したり、当該撮像装置２を介して交換用レンズ鏡筒３の駆動制御を行ったり、若しくは、上記撮像装置２によって取得された画像データを携帯型電子機器へと送信させて、携帯型電子機器の画像表示部に画像を表示させる等といったことが可能になる。
【００３７】
さらに、上述した形態の撮像システム１は、上記撮像装置２と携帯型電子機器とが無線通信によって制御信号や画像データ等の送受信を行うように構成していることから、各構成ユニットが必ずしも一体的に連結されている形態となっていなくとも機能し得る。即ち、交換用レンズ鏡筒３を装着した撮像装置２（撮像主要ユニット）と、既存の携帯型電子機器とを切り離した状態であっても、両者は無線通信による接続が確保され得る状態にある。したがって、そのような使用形態であっても、両者間の各種の制御やデータ送受は可能である。このような使用形態の場合には、上記機器取付用アダプタ４は、上記撮像装置２の背面側に装着した状態において格納状態とすることができるように構成されている。したがって、この場合において機器取付用アダプタ４が操作性を阻害するようなことはない。
【００３８】
［撮像装置の構成］
次に、本実施形態の撮像装置２の構成を、主に図３〜図５を用いて以下に説明する。
【００３９】
本実施形態の撮像装置２は、図３等に示すように、全体として略円筒形状からなる外装部材（１０，１６）と、この外装部材の内部に収納される各種構成部材、即ち複数のフレーム部材（１７，１８，１９，２０）と、樹脂製固定部材（２２，２３，２４）と、ヒートシンク２５と、各種の機能構成ユニット（１３，３１等）と、複数の電子部品（２１ａ）を実装した複数の電気基板（２１）等と、マウントリング１５等と、上記外装部材の外面側に一部を露呈させた各種の操作部材（２２ａ，２２ｂ等）等によって主に構成されている。
【００４０】
ここで、上記外装部材（１０，１６）と、複数のフレーム部材（１７，１８，１９，２０）と、樹脂製固定部材（２２，２３，２４）と、ヒートシンク２５とによって、本実施形態の撮像装置２における基本構成部となる筐体が構成されている。この筐体は、撮影光束を囲み、同撮影光束方向、即ち交換用レンズ鏡筒の光軸方向に長さを有して形成されている。
【００４１】
上記外装部材は、上記撮像装置２における筐体の一部を構成する。この外装部材は、その大部分が外部に露呈して当該撮像装置２の外観部分を形成する部材であることから外観部材とも称される。上記外装部材としては、例えば筒状ハウジング１０と、上記背面ハウジング１６とによって構成される。
【００４２】
上記筒状ハウジング１０は、本撮像装置２の筐体外面の大部分を覆うように形成され、全体として中空の円筒形状からなる外装部材、即ち円筒外装である。筒状ハウジング１０は、例えば合成樹脂素材を射出成形若しくは金型成形等によって形成した部材である。この筒状ハウジング１０の内部には、上記複数のフレーム部材や各種の機能構成ユニット等が収納される。
【００４３】
筒状ハウジング１０は、Ｚ軸方向（図３参照）の前後部分に円形開口が形成された円筒形状からなり、かつ内部に各種の構成部材を配置可能な空間を有して形成されている。なお、当該筒状ハウジング１０において前面側の開口を前面開口というものとし、符号１０ａで示すものとする。また、筒状ハウジング１０の外周面上には、各種の操作部材（レリーズ操作部材２２ａ，電源操作部材２２ｂ，レンズロック解除レバーやアダプタロック解除レバー（いずれも不図示）等）を外部に露呈させるための貫通穴，三脚ネジ穴（不図示）等を露呈させる貫通穴，状態表示用ＬＥＤの表示用貫通穴，マイクロフォン用貫通穴等がそれぞれ所定の部位に穿設されている。具体的には、例えばレリーズ操作部材２２ａを露呈させるための貫通穴１０ｂや、三脚ネジ穴を露呈させるための貫通穴１０ｃなどがある（図３，図８参照）。
【００４４】
上記背面ハウジング１６は、上述したように、上記機器取付用アダプタ４を取り付けるための構成部材である。背面ハウジング１６は、上記筒状ハウジング１０の背面側を覆うように配設されている。これにより、当該背面ハウジング１６は、当該撮像装置２の背面側を保護する外装部材としての役目をしている。そして、上記背面ハウジング１６の背面側外部には、上記機器取付用アダプタ４を取り付けるための爪形状からなるアダプタ装着部１６ａが複数（本例では４箇所）設けられている（図２参照）。
【００４５】
上記複数のフレーム部材は、上記筒状ハウジング１０の内部に設けられ、上記撮像装置２における筐体の他の一部を構成する。上記複数のフレーム部材としては、背面フレーム１７と、前側円筒フレーム１８と、Ｌ字フレーム１９と、メインフレーム２０等がある。
【００４６】
前側円筒フレーム１８は、筒状ハウジング１０の内部における前面側の基本構造部を主に構成する部材である。この前側円筒フレーム１８は、上記筒状ハウジング１０に対して内挿配置され得るように、その外周縁形状が上記筒状ハウジング１０の略円筒形状に合わせた形状に形成されており、かつ筒状ハウジング１０の前面開口１０ａに合わせた開口を有し、全体として略円環形状に形成されている。この前側円筒フレーム１８は、筒状ハウジング１０の内部において最も前面寄りの部位に固定配置されている。そして、この前側円筒フレーム１８には、当該撮像装置２の内部構成部品の一部がそれぞれ所定の位置に取り付けられている。例えば、前側円筒フレーム１８の前面には、上記マウントリング１５がビス等によって固設されている。前側円筒フレーム１８は、例えば金属材料を用いて製造されるダイキャスト部品として形成されている。
【００４７】
背面フレーム１７は、筒状ハウジング１０の内部における背面側の基本構造部を主に構成する部材である。この背面フレーム１７は、上記筒状ハウジング１０に対して内挿配置され得るように、その外周縁形状が上記筒状ハウジング１０の略円筒形状に合わせて略円板形状に形成されている。そのために、背面フレーム１７は、筒状ハウジング１０の内部において最も背面寄りの部位に固定配置されている。これにより、当該背面フレーム１７は、上記筒状ハウジング１０の背面側を閉塞する部材となっている。そして、この背面フレーム１７には、その両面に各種の内部構成部品、例えば無線機能の入り切り（オンオフ）の切り換えを行う無線オンオフスイッチや、撮像装置２の傾きを検出し水準器機能を実現する加速度センサや角速度センサ（ジャイロセンサ）等のセンサ素子等の電子部品等が取り付けられている。また、背面フレーム１７には、内部に配設される構成部品の一部を外部に向けて露呈させるために、所定に部位に所定の形状の複数の孔部が形成されている。背面フレーム１７における複数の孔部としては、例えば当該撮像装置２のメイン基板２１に実装された複数の電子部品のうちの記録媒体収納部の一部を外部に露呈させるために形成された開口窓１７ｂ（図３参照）等がある。なお、上記背面フレーム１７は、例えば金属製（例えばステンレス鋼（ＳＵＳ）等）をプレス加工等によって形成した板状部材若しくは硬質樹脂製の板状部材を用いて形成されている。
【００４８】
メインフレーム２０は、例えば金属製（例えばステンレス鋼（ＳＵＳ）等）の板状部材を折り曲げ加工して形成されている。このメインフレーム２０は、当該撮像装置２における基本構成ユニットの主要部をなす構成部材である。
【００４９】
メインフレーム２０は、前面寄りの位置にＸ−Ｙ平面に平行に形成され、その略中央に上記筒状ハウジング１０の前面開口１０ａに対向し撮像素子１１に合わせた開口２０ａａを備えた前面平板部２０ａと、この前面平板部２０ａの四辺外周縁部から後方（背面側）へ向けてそれぞれ延出し、上面，底面，右側面，左側面の四平面のそれぞれに平行に形成された複数の平板部（上面平板部２０ｂ，底面平板部２０ｃ，右側面平板部２０ｄ，左側面平板部２０ｅ）とを有して形成されている。なお、ここで、右側面とは当該撮像装置２の正面に向かって見た場合（図３のＺ軸上の矢印［Ａ］方向から見た場合）の右手側の側面をいうものとする。同様に、左側面とは当該撮像装置２の正面に向かって左手側の側面をいうものとする。さらに、メインフレーム２０は、２つの通信用基板が備えられ、その一つにはブルートゥース用回路が形成され、もう一つにはワイファイ（Ｗｉ−Ｆｉ）用回路が形成されている。
【００５０】
このような構成によって、上記メインフレーム２０は、全体として略直方体形状に形成され、前面側から背面側に亘って開口した形態に形成されている。当該メインフレーム２０が上記筒状ハウジング１０の内部に配設されたときには、当該メインフレーム２０の背面側の開口は、上記背面フレーム１７によって閉塞される形態となる。このように形成される上記メインフレーム２０は、各平板部（２０ａ，２０ｂ，２０ｃ，２０ｄ，２０ｅ）と上記背面フレーム１７とによって囲われて略直方体に形成される第１空間部は、撮影光束が通過するための空間となっている。そして、この第１空間部内には、本撮像装置２における重要構成部品、例えば電源電池３１や撮像ユニット１３及びメイン基板２１等が配設されている。
【００５１】
Ｌ字フレーム１９は、例えば金属製（例えばステンレス鋼（ＳＵＳ）等）の板状部材を折り曲げ加工して形成されている。このＬ字フレーム１９は、図５に示すように、Ｘ−Ｙ平面に平行に配置された一面１９ａと、Ｙ−Ｚ平面に平行に配置された他の一面１９ｂとを有して構成されている。Ｌ字フレーム１９の上記一面１９ａは、電源電池３１と撮像ユニット１３との間を隔てるように配置されている。また、同Ｌ字フレーム１９の上記他の一面１９ｂは、撮像ユニット１３とメイン基板２１との間を隔てるように配置されている。このような構成により、上記Ｌ字フレーム１９は、電源電池３１，撮像ユニット１３，メイン基板２１等の発熱部材からの熱を受けて拡散させると共に、メインフレーム２０の内部で隣接配置される各発熱部材の間を隔てるように配置されることによって、一方の発熱部材から発生した熱が、他方の発熱部材へと直接伝達するのを抑止している。
【００５２】
上記樹脂製固定部材は、上記撮像装置２における筐体の別の一部を構成する。上記樹脂製固定部材としては、上側カバー２２と、右側カバー２３と、下側カバー２４等がある。
【００５３】
上述したように、本撮像装置２においては、上記筒状ハウジング１０は略円筒形状に形成されている。一方、メインフレーム２０は、全体として略直方体形状に形成されている。そして、上記筒状ハウジング１０の内部の略中央部分に上記メインフレーム２０が固定配置される。このような構成とした場合、上記メインフレーム２０の各平板部（上面平板部２０ｂ，底面平板部２０ｃ，右側面平板部２０ｄ，左側面平板部２０ｅ）の各外面と、筒状ハウジング１０の内面との間には、断面が略三日月形状若しくは略円弧形状を有する所定の形態の第２空間部が形成されることになる。この第２空間部のような形態の空間が筒状ハウジング１０の内部に存在していると、当該筒状ハウジング１０の外表面に対して衝撃等が加わった場合、筒状ハウジング１０の外装部分が容易に塑性変形してしまう虞がある。
【００５４】
そこで、本実施形態の撮像装置２においては、筒状ハウジング１０の内面とメインフレーム２０の上面平板部２０ｂの外面との間の空間部に、樹脂製固定部材である上側カバー２２を配設している。この上側カバー２２は、上記空間部の形状に合わせて筒状ハウジング１０の内壁面に沿う円弧形状面を有して形成されている。したがって、上側カバー２２が上記空間部を充填するように配置することによって、筒状ハウジング１０の上側部分の塑性変形を防止している。また、上記上側カバー２２は、内部構成部品のうち、例えばレリーズ操作部材２２ａや電源操作部材２２ｂ等の操作部材を作動可能に配設する固定部材としても機能している。したがって、上側カバー２２は、補強部材として筒状ハウジング１０の上側部分の変形や破損等を抑止すると共に、操作部の機能を有している。
【００５５】
これと全く同様に、筒状ハウジング１０の内部の底面部位においては、メインフレーム２０の底面平板部２０ｃの外面の空間部に下側カバー２４を配設している。この下側カバー２４及び上記底面平板部２０ｃには、三脚ネジ穴を配設するための三脚取り付け用構成ユニット（不図示）が配設されている。そのために、下側カバー２４は、底面側の外装を補強する役目をすると共に、上記底面平板部２０ｃと協働して三脚取り付け部位の補強部材としても機能している。
【００５６】
さらに同様に、筒状ハウジング１０の内部の右側面部位においては、メインフレーム２０の右側面平板部２０ｄの外面の空間部に右側カバー２３を設けている。この右側カバー２３には、不図示のレンズロックレバー及びアダプタロックレバー等の操作部材を含むロック機構が作動可能に取り付けられている。したがって、右側カバー２３は、筒状ハウジング１０の右側面の外装を補強する役目をすると共に、上記操作部材及び機構部を固定保持する機能をも兼ねている。
【００５７】
なお、これら各カバー（２２，２３，２４）は、例えば合成樹脂素材を射出成形若しくは金型成形等によって、筒状ハウジング１０の内壁面に沿う略円弧形状面を有して形成されており、例えば図４，図５に示すように、ビス５０，５１，５２によって前側円筒フレーム１８，背面フレーム１７，メインフレーム２０等の所定の部位に固定されている。
【００５８】
一方、筒状ハウジング１０の内部の左側面部位においては、メインフレーム２０の左側面平板部２０ｅの外面の第２空間部に、上記樹脂製固定部材（２２，２３，２４）と略同様の形状に、金属部材（例えばアルミダイキャスト等）によって形成されるヒートシンク２５を左側カバーとして配設している。このヒートシンク２５は、当該撮像装置２の内部に発生する熱を外部へと拡散させるために設けられる放熱部材である。そのために、上記ヒートシンク２５は、アルミニウム合金などの熱伝導性の高い金属塊からなり、本実施形態の場合、当該金属塊は、例えば光軸Ｏと平行な矩形平面を有し、該矩形の光軸と平行な二つの辺同士を円弧曲面で結び、光軸方向に延びた形状であり、光軸と直交する平面で、その断面をとると光軸を中心とする円弧と、該円弧の両端を結ぶ直線で囲まれた断面を有する。該形状により電子素子から発生した熱を吸収し、外部に放熱させ得る。
【００５９】
そして、このヒートシンク２５は、メインフレーム２０の左側面平板部２０ｅに当接した状態で、当該左側面平板部２０ｅの所定部位にビス５１（図５参照）を用いて固定されている。これにより、左側カバーとしてのヒートシンク２５は、補強部材として筒状ハウジング１０の左側面の外装を補強する役目をすると共に、上記メインフレーム２０の左側面平板部２０ｅを介して内部構造物から伝達される熱を拡散させる機能を有している。
【００６０】
上記筒状ハウジング１０の内部に配設される各種の機能構成ユニット（内部構成ユニット）は、例えば撮像素子１１を含む撮像ユニット１３と、電源電池３１を含む電力供給ユニットと、当該撮像装置２の全体を統括的に制御する制御回路等を構成する複数の電子素子であり電子部品２１ａを実装したメイン基板２１等がある。
【００６１】
撮像ユニット１３は、撮像素子１１の撮像面とＺ軸とが略直交し、かつ同撮像素子１１の撮像面が筒状ハウジング１０の前面開口１０ａと略平行となるように、上記メインフレーム２０の内部に固定配置されている。撮像ユニット１３は、撮像素子１１と、光学フィルタ１１ａと、撮像基板１２等によって構成されている。
【００６２】
撮像素子１１は、上記交換用レンズ鏡筒３の撮像光学系３ａによって受光面上に結像された光学像を光電変換する電子部品である。つまり、当該撮像素子１１は、上記筐体中に設けられ、撮影光束の終端において、同撮影光束を受けて撮像を行なう電子素子である。
【００６３】
撮像素子１１は、例えばＣＣＤ（Charge Coupled Device；電荷結合素子）等の半導体素子を用いたＣＣＤイメージセンサーや、ＣＭＯＳ（Complementary Metal Oxide Semiconductor；相補性金属酸化膜半導体）を用いた固体撮像素子であるＭＯＳ型イメージセンサー等、従来一般的な撮像装置等に適用されているものと同等のものが用いられる。
【００６４】
撮像基板１２は、上記撮像素子１１や、当該撮像素子１１を駆動する駆動回路等を構成する複数の電子部品を実装する電気基板である。この撮像素子１１の受光面は、前面側であって上記筒状ハウジング１０の前面開口１０ａ及び上記前面平板部２０ａの開口２０ａａに向けて配置され、かつ当該撮像装置２の前面に取り付けられた交換用レンズ鏡筒３の光軸Ｏ（図１等参照；Ｚ軸）に略直交する面（即ちＸ−Ｙ平面）に平行となるように配設されている。したがって、上記撮像基板１２も上記撮像素子１１の受光面に平行となるように、上記メインフレーム２０の内部において配設されている。そして、上記撮像ユニット１３は、撮像素子保持部材９６を前側円筒フレーム１８に対して固定保持されている。
【００６５】
上記光学フィルタ１１ａは、当該撮像装置２の撮像面に向けて入射する入射光束から所定の周波数成分を除去するために設けられる複数の光学フィルタである。この光学フィルタ１１ａとしては、具体的には、例えば赤外成分等をカットする赤外線（ＩＲ）カットフィルタや、高周波成分を低減させるローパスフィルタ等が適用される。光学フィルタ１１ａは、光透過性の高い材質であって略透明薄板形状の部材によって形成されている。上記光学フィルタ１１ａは、撮像ユニット１３の撮像素子１１の前面に配設されている。
【００６６】
上記撮像ユニット１３の前面側には、塵埃除去ユニット９５（図５参照）が当該撮像ユニット１３と一体に配設されている。この塵埃除去ユニット９５は、保護ガラス９５ａと保持部材９５ｂと加振用駆動機構（不図示）等によって構成されている。このうち保護ガラス９５ａは、撮像素子１１の受光面を保護するために設けられる透明薄板状部材である。保護ガラス９５ａは、上記メインフレーム２０の前面平板部２０ａの開口２０ａａの後方部位にであって撮像素子１１の受光面の前面側に設けられている。そして、保護ガラス９５ａは、撮像素子１１の受光面と平行に配置されている。上記保護ガラス９５ａは、撮像素子１１の前面側の所定の領域の空間を密封状態とする役目もしている。これにより、保護ガラス９５ａは、上記開口２０ａａから内部に塵埃等が進入することを抑止し、よってそのような塵埃等が撮像素子１１の受光面に付着することを防いでいる。上記保護ガラス９５ａは、例えば圧電素子等を有して構成される加振用駆動機構（不図示）による加振駆動を受けて振動するように構成されている。
【００６７】
上記保持部材９５ｂは、上記保護ガラス９５ａの外縁部を支持し、上記加振用駆動機構による振動を許容しながら、上記保護ガラス９５ａの撮像素子１１の受光面に対する平行を保持する固定部材である。
【００６８】
このような構成により、上記塵埃除去ユニット９５は、保護ガラス９５ａによって撮像素子１１の前面側の所定空間を密封状態とした上で、上記保護ガラス９５ａを圧電素子等の加振部材を介して加振用駆動機構によって振動させることにより、上記保護ガラス９５ａの外表面に付着した塵埃等を払い落として除去する塵埃除去機構を構成している。なお、上記保護ガラス９５ａの代わりに、撮像素子１１の受光面上に本来より具備されるフィルタ部材、例えば赤外線カットフィルタやローパスフィルタ等を利用してもよい。
【００６９】
上記塵埃除去ユニット９５自体の構成に関しては、本発明に直接関連しない部分であるので、従来一般的なカメラ等に使用されているものと同等のものが適用されているものとして、その詳細説明は省略する。
【００７０】
上記撮像ユニット１３の撮像基板１２の背面側には放熱板３３が設けられている。この放熱板３３は、例えばアルミニウム等の金属製板状部材によって構成され、上記撮像素子保持部材９６に対して例えばビス等を用いて固定されている（不図示）。
【００７１】
上記放熱板３３は、放熱を目的として配設されている部材である。そのために、上記放熱板３３と上記撮像基板１２との間には、高い熱伝導率を有する素材からなり、例えば薄膜シート状若しくはテープ状に形成される放熱部材であり熱伝達用シートである放熱シート３４が挟持されている。これにより、撮像基板１２の撮像素子１１等からの発熱は、放熱シート３４を介して上記放熱板３３へと伝達され、さらに撮像素子保持部材９６を介してメインフレーム２０，前側円筒フレーム１８，マウントリング１５等の各金属部材を介して、当該撮像装置２の外部へと放出（放熱）されるように構成している。
【００７２】
さらに、上記放熱板３３の後方には電源電池３１を含む電力供給ユニットが配設されている。この電源電池３１は、扁平形状に形成された充電式バッテリ、例えばリチウムイオン二次電池等の充電式電池等、一般的な形態の二次電池が適用されている。
【００７３】
上記電源電池３１は、上記メインフレーム２０の内部空間において、上記撮像ユニット１３と略平行となるように、当該撮像ユニット１３の背面側の部位に形成された電池収納室内に配設されている。この電池収納室内には、適用される電源電池３１の外形形状に合わせた電池支持部材３５が設けられている。この電池支持部材３５は、当該電池収納室内において電源電池３１の収納状態が維持されるように保持する役目をしている。そして、上記電源電池３１と上記撮像ユニット１３（の放熱板３３）との間には、Ｌ字フレーム１９の一面１９ａ（図５参照）が両者間を隔てるように配置されている。この構成により、撮像ユニット１３及び電源電池３１からの発熱は、Ｌ字フレーム１９を介して他の部位へと拡散されることになる。また、撮像ユニット１３と電源電池３１との間で、双方で生じた発熱が互いに直接伝達することを抑止している。
【００７４】
一方、電池収納室内の背面側の内面には、放熱部材であり熱伝達用シートである放熱シート３２が配設されている。この放熱シート３２は、上記放熱シート３４と同様に、高い熱伝導率を有する素材からなり、例えば薄膜シート状若しくはテープ状に形成される放熱部材である。上記放熱シート３２は、電池収納室内に収納された電源電池３１の背面側の一面と背面フレーム１７の内面との間に挟持されるように配設されている。この構成により、電源電池３１の発熱は、放熱シート３２を介して背面フレーム１７へと伝達され、さらにメインフレーム２０，前側円筒フレーム１８，マウントリング１５等の金属部材を介して、当該撮像装置２の外部へと放出（放熱）されるように構成している。
【００７５】
他方、上記メインフレーム２０の内部空間における左側面には、図３〜図５に示すように、上記メインフレーム２０の左側面平板部２０ｅの内面に平行となるようにメイン基板２１が配設されている。別の言い方をすると、メイン基板２１は、撮像素子１１を正面から見たときの撮像面の設けられている領域よりも外側の領域に設けられており、かつ撮影光束の光軸Ｏに対して平行となるように配置された平面を有する電気基板である。このメイン基板２１は、当該撮像装置２を統括的に制御するための制御回路を構成するＣＰＵ（Central Processing Unit）等の複数の電子部品２１ａ（電子素子）を実装した電気基板である。
【００７６】
そして、上記メイン基板２１の一部は、上述したように、背面フレーム１７の開口窓１７ｂ（図３参照）から外部に光軸方向に沿って後方へと露呈するように配設されている。これによって、当該メイン基板２１上に実装された電子部品の一部、具体的にはメモリカードスロットや外部機器との接続コネクタ等を背面側の外部に露呈させている。
【００７７】
上記メイン基板２１上の電子部品２１ａ（電子素子）と左側面平板部２０ｅの内面との間には、図４，図５に示すように、放熱部材であり熱伝達用シートである放熱シート３７が挟持されるように配設されている。この放熱シート３７は、上記放熱シート３２，３４と同様に、高い熱伝導率を有する素材からなり、例えば薄膜シート状若しくはテープ状に形成される放熱部材である。
【００７８】
上記放熱シート３７は、上記メイン基板２１上に実装配置された電子部品２１ａ（電子素子）のうち、特に制御回路を構成するＣＰＵや画像処理エンジン等を構成するＩＣ（Integrated Circuit；集積回路）等の電子部品、即ち電子回路の作動時に発熱が顕著な電子部品の外面を覆うように配設され、上記電子部品（電子素子）上に載置される熱伝達用シートである。
【００７９】
そして、本実施形態の撮像装置２においては、上述したように、上記メインフレーム２０の左側面平板部２０ｅの外面と、筒状ハウジング１０の内面との間の空間部を埋めるようにヒートシンク２５が配設されている。このヒートシンク２５は、左側面平板部２０ｅの外面に当接した状態でビス５１（図５参照）によりビス止め固定されている。
【００８０】
つまり、上記メイン基板２１上の電子部品２１ａ（電子素子）と、メインフレーム２０の左側面平板部２０ｅとの間に熱伝達用シートである放熱シート３７を設け、メインフレーム２０の左側面平板部２０ｅの外面側にはヒートシンク２５を配設している。この構成により、ヒートシンク２５は、メイン基板２１との間に、放熱シート３７を電子部品２１ａ（電子素子）と共に挟むように、放熱シート３７上に（メインフレーム２０の左側面平板部２０ｅを介して）載置した形態となっている。
【００８１】
したがって、このような構成により、上記メイン基板２１上の電子部品２１ａ（電子素子）からの発熱は、放熱シート３７を介してメインフレーム２０，ヒートシンク２５，前側円筒フレーム１８，マウントリング１５等の金属部材を介して、当該撮像装置２の外部へと放出（放熱）されるように構成している。
【００８２】
なお、メインフレーム２０の内部において、上記メイン基板２１と上記撮像ユニット１３との間には、Ｌ字フレーム１９の他の一面１９ｂ（図５参照）が両者間を隔てるように配置されている。この構成により、撮像ユニット１３及びメイン基板２１からの発熱は、Ｌ字フレーム１９を介して他の部位へと拡散されることになる。また、撮像ユニット１３とメイン基板２１との間で、双方で生じた発熱が互いに直接伝達することを抑止している。
【００８３】
以上説明したように上記第１の実施形態の撮像装置２においては、Ｚ軸方向（図３参照）の一方（前面側）に前面開口１０ａを有して構成され、他方（背面側）は上記背面ハウジング１６によって覆われ閉塞された形態に形成されている。そして、上記前面開口１０ａの外縁部に上記マウントリング１５が配設されて、交換用レンズ鏡筒３が着脱可能に配設されるように構成されている。
【００８４】
この場合において、撮像装置２の内部に収納される発熱源となる発熱部材、特に撮像素子１１を含む撮像ユニット１３，電源電池３１を含む電力供給ユニット，発熱が顕著な電子部品２１ａを実装したメイン基板２１等から発生する熱を、メインフレーム２０，Ｌ字フレーム１９，ヒートシンク２５等の金属製部材及び放熱シート３７等を用いて拡散させて、当該撮像装置２の外部へと放出（放熱）させることができる。したがって、これにより、熱ノイズにより発生する暗電流を低減させることができ、よってこれに起因するノイズ等の画像データへの混入を低減させ得る。よって、取得される画像データによって表される画像の画質劣化を抑止することができる。
【００８５】
［第２の実施形態］
次に、本発明の第２の実施形態の撮像装置について、以下に説明する。図６〜図９は、本発明の第２の実施形態を示す図である。このうち図６は本実施形態の撮像装置を示す外観斜視図である。図７は本実施形態の撮像装置において、筒状ハウジングを取り外した状態を示す分解斜視図である。図８は本実施形態の撮像装置における筒状ハウジングの縦断面図である。この図８は図７の符号［８］で示す平面（Ｘ−Ｙ平面）で切断し正面側（被写体側）から見た際の縦断面図である。図９は本実施形態の撮像装置において筒状ハウジングを取り外した状態の断面図である。この図９は図７の符号［９］で示す平面（Ｘ−Ｚ平面）で切断し上面側から見た際の横断面図である。
【００８６】
本実施形態の撮像装置２Ａの構成は、基本的には上述の第１の実施形態の撮像装置２と略同様である。本実施形態の撮像装置２Ａは、内部の発熱部材から生じた熱を放出するための構造が、上述の第１の実施形態とは若干異なるのみである。したがって、以下の説明においては、異なる構成部位のみを詳述し、上記第１の実施形態と同様の構成については、同じ符号を付して、その詳細説明を省略する。
【００８７】
本実施形態の撮像装置２Ａは、外装部材として筒状ハウジング１０Ａを有して構成されている。この筒状ハウジング１０Ａ自体の構成は、上述の第１の実施形態におけるものと略同様である。ただし、本実施形態における筒状ハウジング１０Ａ（円筒外装）においては、左側面部分、即ち内部にヒートシンク２５Ａが配設されている部分に対応する外周面に、複数の通気孔１０Ａａが形成されている点において異なる。なお、本実施形態におけるヒートシンク２５Ａは、例えば光軸Ｏに垂直方向に（つまり当該撮像装置２Ａにおける径方向に）延出する複数の平板状突起が光軸Ｏに沿う方向に所定の間隔を置いて並べられて配置される形状を有することによって、広い伝熱表面積を確保する形態に形成されたいわゆる放熱フィン構造を有する形態の構造物として例示している。この構成によれば、上述の第1の実施形態で例示したヒートシンクの形態、即ち金属塊の形態のものに比べて、より広い表面積を確保できるので、さらなる放熱効果を期待できる。
【００８８】
上記複数の通気孔１０Ａａは、外部より筒状ハウジング１０Ａの内部（のヒートシンク２５Ａの近傍）へと気体を取り入れると共に、当該ヒートシンク２５Ａによって温められた気体を外部へと排出するために、上記筒状ハウジング１０Ａを貫通して形成される通気用の貫通穴である。この複数の通気孔１０Ａａは、筒状ハウジング１０Ａの外周面において、Ｚ軸（光軸Ｏ）に沿う方向に並べて配置した列を、同外周面の周方向に所定の間隔をおいて二列設けている。なお、図６，図７に示す形態は、上記複数の通気孔１０Ａａの配置形態の一例であって、この形態に限られることはなく、各種様々な形態が考えられる。その他の構成は、上述の第１の実施形態と全く同様である。
【００８９】
以上説明したように上記第２の実施形態によれば、上述の第１の実施形態と同様の効果を得ることができる。さらに、本実施形態によれば、外装部材の一部であって円筒外装である筒状ハウジング１０Ａの外周面の一部、即ち内部にヒートシンク２５Ａが配設されている部分に相当する領域に、複数の通気孔１０Ａａを、さらに形成している。したがって、この構成により、ヒートシンク２５Ａにて温められた気体は、複数の通気孔１０Ａａを介して容易に外部へと排出されるので、内部の発熱部材により生じた熱をさらに効率的に外部へと拡散させることができる。なお、上記ヒートシンクは、第１の実施形態（符号２５），第２の実施形態（符号２５Ａ）で示した各形態のほかにも様々な形態が考えられる。例えば、熱伝導性物質からなり平面の平板部から一体に複数の柱状の突起を立てたり、熱伝導性物質からなり線状や糸状の可撓性物質を備えるものであってもよい。
【００９０】
［第３の実施形態］
次に、本発明の第３の実施形態の撮像装置について、以下に説明する。図１０〜図１２は、本発明の第３の実施形態を示す図である。このうち図１０は本実施形態の撮像装置において、筒状ハウジングを取り外した状態を示す斜視図である。図１１，図１２は本実施形態の撮像装置において筒状ハウジングを取り外した状態の断面図である。このうち図１１は図１０の符号［１１］で示す平面（Ｘ−Ｚ平面）で切断し上面側から見た際の横断面図である。図１２は図１０の符号［１２］で示す平面（Ｘ−Ｙ平面）で切断し正面側（被写体側）から見た際の縦断面図である。
【００９１】
本実施形態の撮像装置２Ｂの構成は、基本的には上述の第１，第２の実施形態の撮像装置２，２Ａと略同様である。本実施形態の撮像装置２Ｂは、内部の発熱部材から生じた熱を放出するための構造が、上述の第１，第２の実施形態とは若干異なるのみである。したがって、以下の説明においては、異なる構成部位のみを詳述し、上記第１，第２の実施形態と同様の構成については、同じ符号を付して、その詳細説明を省略する。
【００９２】
本実施形態の撮像装置２Ｂにおいて、外装部材としての筒状ハウジング（不図示）は第１，第２の実施形態と同様のものが適用される。本実施形態に適用し得る筒状ハウジングの形態は、上記いずれの形態のものでもよい。したがって、筒状ハウジング自体については、その図示及び説明を省略する。また、本実施形態の撮像装置２Ｂにおいて、筒状ハウジング内の各種構成物についても、上述の第１，第２の実施形態と略同様である。
【００９３】
ただし、本実施形態の撮像装置２Ｂにおいては、図１０〜図１２に示すように、ヒートシンク２５の外表面を覆うように第２の熱伝達用シートである放熱シート３６が設けられている点が異なる。なお、本実施形態においては、ヒートシンク２５は、上記第1の実施形態と同様形態のものを示しているが、上記第２の実施形態で例示した形態のもの（ヒートシンク２５Ａ）を適用してもよい。
【００９４】
即ち、本実施形態の撮像装置２Ｂにおいては、筒状ハウジング（不図示）の内面と上記ヒートシンク２５の外表面との間に、第２の熱伝達用シートである放熱シート３６を配置している。ここで、第２の熱伝達用シートである放熱シート３６は、熱を拡散しやすい素材、例えば銅箔シート若しくはグラファイトシート等を薄いシート状に形成した放熱部材である。この放熱シート３６は、筒状ハウジングの内面若しくは上記ヒートシンク２５の外表面等に対して接着剤などを用いて貼着される。
【００９５】
本実施形態において、上記放熱シート３６は、例えばヒートシンク２５の外表面の全てを覆うと共に、さらに撮像装置２Ｂの下側カバー２４の外表面の一部までを連続して覆うように、当該撮像装置２の周方向に、図１２に示す符号［Ｓ１］の範囲内で配設されている。これに加えて、本実施形態の撮像装置２Ｂにおいては、さらに三脚取付用ネジ穴部４０を隔てた右側面寄りの底面部の領域から右側面の一部領域にかけて、即ち図１２に示す符号［Ｓ２］の範囲内において、当該撮像装置２の周方向に筒状ハウジング（不図示）の内面と右側カバー２３，下側カバー２４の外表面との間に、上記放熱シート３６を貼着して配設している。そして、上記放熱シート３６とヒートシンク２５の外表面、又は右側カバー２３，下側カバー２４の外表面との間は、密着状態にされるのが好ましい。したがって、放熱シート３６の上記各部材表面（２５，２３，２４）への接着は、全面接着が望ましい。その他の構成は、上記第１，第２の実施形態と同様である。
【００９６】
なお、本実施形態においては、筒状ハウジングの図示を省略しているが、その構成は、第１の実施形態で示す形態のものであってもよいし、第２の実施形態で示すように通気孔を有するものであっても、いずれの形態のものでも適用し得る。
【００９７】
また、本実施形態の構成では、左側面に配置する左側カバーとしてヒートシンク２５を配設した例を示しているが、この形態に限られることはない。例えばヒートシンク２５に代えて、他の樹脂製固定部材と同様の素材からなる左側カバーを設けた形態であってもよい。この場合おいても、左側カバーの外表面に放熱シート３６を貼着することで、内部構造物からの発熱を拡散することが同様に可能である。
【００９８】
以上説明したように上記第３の実施形態によれば、上述の第１の実施形態と同様の効果を得ることができる。さらに、本実施形態によれば、ヒートシンク２５を覆うように放熱シート３６を設けている。したがって、この構成により、ヒートシンク２５に伝達された熱を、上記放熱シート３６を介して容易に拡散させることができる。
【００９９】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。
【符号の説明】
【０１００】
１……撮像システム，
２，２Ａ，２Ｂ……撮像装置，
３……交換用レンズ鏡筒，
３ａ……撮像光学系，
３ｂ……レンズマウント，
３ｃ……ピントリング，
３ｄ……ズームリング，
４……機器取付用アダプタ，
１０，１０Ａ……筒状ハウジング，
１０ａ……前面開口，
１０Ａａ……通気孔，
１１……撮像素子，
１１ａ……光学フィルタ，
１２……撮像基板，
１３……撮像ユニット，
１４……通信用接点端子，
１５……マウントリング，
１５ａ……ロックピン，
１６……背面ハウジング，
１６ａ……アダプタ装着部，
１７……背面フレーム，
１７ｂ……開口窓，
１８……前側円筒フレーム，
１９……Ｌ字フレーム，
１９ａ……一面，
１９ｂ……他の一面，
２０……メインフレーム，
２０ａ……前面平板部，
２０ａａ……開口，
２０ｂ……上面平板部，
２０ｃ……底面平板部，
２０ｄ……右側面平板部，
２０ｅ……左側面平板部，
２１……メイン基板，
２１ａ……電子部品，
２２……上側カバー，
２２ａ……レリーズ操作部材，
２２ｂ……電源操作部材，
２３……右側カバー，
２４……下側カバー，
２５……ヒートシンク，
３１……電源電池，
３２，３４，３６，３７……放熱シート，
３３……放熱板，
３５……電池支持部材，
４０……三脚取付用ネジ穴部，
５０，５１，５２……ビス，
９５……塵埃除去ユニット，
９５ａ……保護ガラス，
９５ｂ……保持部材，
９６……撮像素子保持部材，
【図１】
2017044795.tif 000003
【図２】
2017044795.tif 000004
【図３】
2017044795.tif 000005
【図４】
2017044795.tif 000006
【図５】
2017044795.tif 000007
【図６】
2017044795.tif 000008
【図７】
2017044795.tif 000009
【図８】
2017044795.tif 000010
【図９】
2017044795.tif 000011
【図１０】
2017044795.tif 000012
【図１１】
2017044795.tif 000013
【図１２】
2017044795.tif 000014